(57)【要約】【課題】大掛かりな設備を要することなく、一般家庭などでも簡単に設置でき且つ手軽に使用できると共に、製作コストが安く、しかも十分な温熱効果を奏することのできる健康腰掛を提供する。【解決手段】上面が開口した浅い箱状の腰掛本体２の底部側に面状ヒーター３を配備し、その上に所要量の玉砂利４を配置してなる健康腰掛１であって、面状ヒーター３によって玉砂利４を所要温度に加熱し、この加熱した玉砂利４の上に腰を掛けるようにする。【選択図】図２
0003133509.tif 000002
【実用新案登録請求の範囲】
【請求項１】
上面が開口した浅い箱状の腰掛本体の底部側に面状ヒーターを配備し、その上に所要量の玉砂利を配置してなるもので、面状ヒーターによって玉砂利を所要温度に加熱し、この加熱した玉砂利の上に腰を掛けるようにした健康腰掛。
【請求項２】
面状ヒーターと玉砂利との間にゲルマニウムシートを介在させてなる請求項１に記載の健康腰掛。
【請求項３】
玉砂利はメッシュ状の袋に詰めた状態としてなる請求項１又は２に記載の健康腰掛。
【請求項４】
腰掛本体の底面及び内周側面に断熱材を装着してなる請求項１〜３の何れかに記載の健康腰掛。
【請求項５】
腰掛本体の底壁部の所要個所に水抜き孔を設けてなる請求項１〜４の何れかに記載の健康腰掛。
【請求項６】
腰掛本体にはその上面を覆う保温用蓋体を開閉自在に枢着し、この保温用蓋体は、開放時には背もたれとして起立位置に保持されるようになっている請求項１〜５の何れかに記載の健康腰掛。
【請求項７】
玉砂利はセメントモルタルで固めてなる請求項１、２、４、５又は６の何れかに記載の健康腰掛。
【考案の詳細な説明】
【技術分野】
【０００１】
本考案は、温熱効果によって病気や症状の改善、健康の増進を図るようにした健康腰掛に関する。
【背景技術】
【０００２】
この種の従来技術として特許公報などの具体的な公知文献を挙げることはできないが、従来より温熱療法による温熱効果を利用した健康設備が種々提供されている。近年、特に脚光を浴びているものに、岩盤浴があり、この岩盤浴は、温めた天然石や岩石を加工したベッドの上で横になって汗をかくサウナ形式の風呂の一種で、発汗作用によって新陳代謝の活発化を促し、美容と健康の増進を図るものとして、年々利用者が増加する傾向にある。
【考案の開示】
【考案が解決しようとする課題】
【０００３】
しかしながら、上記のような岩盤浴あるいはサウナ風呂などは、可なり大掛かりな設備を要するため、一般家庭で簡単に設置するというわけにはいかない。そこで、本考案は、大掛かりな設備を要することなく、一般家庭などでも簡単に設置でき且つ手軽に使用できると共に、製作コストが安く、しかも十分な温熱効果を奏することのできる健康腰掛を提供することを目的とする。
【課題を解決するための手段】
【０００４】
上記課題を解決するための手段を、後述する実施形態の参照番号を付して説明すると、請求項１に係る考案の健康腰掛は、上面が開口した浅い箱状の腰掛本体２の底部側に面状ヒーター３を配備し、その上に所要量の玉砂利４を配置してなるもので、面状ヒーター３によって玉砂利４を所要温度に加熱し、この加熱した玉砂利４の上に腰を掛けるようにしたことを特徴とする。
【０００５】
請求項２は、請求項１に記載の健康腰掛において、面状ヒーター３と玉砂利４との間にゲルマニウムシート１３を介在させてなることを特徴とする。
【０００６】
請求項３は、請求項１又は２に記載の健康腰掛において、玉砂利４はメッシュ状の袋１６に詰めた状態としてなることを特徴とする。
【０００７】
請求項４は、請求項１に記載の健康腰掛において、箱状腰掛本体２の内底面及び内周側面に断熱材９を装着してなることを特徴とする。
【０００８】
請求項５は、請求項１〜４の何れかに記載の健康腰掛において、箱状腰掛本体２の底壁部２ｂの所要個所に水抜き孔５を設けてなることを特徴とする。
【０００９】
請求項６は、請求項１〜５の何れかに記載の健康腰掛において、腰掛本体２にはその上面を覆う保温用蓋体１４を開閉自在に枢着し、この保温用蓋体１４は、開放時には背もたれとして起立位置に保持されるようになっていることを特徴とする。
【００１０】
請求項７は、請求項１、２、４、５又は６の何れかに記載の健康腰掛において、玉砂利４はセメントモルタル１７で固めてなることを特徴とする。
【考案の効果】
【００１１】
上記解決手段による考案の効果を、後述する実施形態の参照番号を付して説明すると、請求項１に係る考案の健康腰掛は、浅い箱状の腰掛本体２の底部側に面状ヒーター３を配備し、その上に所要量の玉砂利４を配置してなるもので、面状ヒーター３によって玉砂利４を所要温度に加熱し、この加熱した玉砂利４上に使用者が腰を掛けるようにしたから、使用者は、所要温度に加熱された腰掛本体２内の玉砂利４の上に腰を下ろせば、腰掛本体２内の玉砂利４は、使用者のお尻Ｈの形状に対応して流動変形し、お尻Ｈに的確にフィットした状態となり、従ってお尻Ｈ全体がきわめて有効に加温されると共に、加熱される玉砂利４からは遠赤外線が放射されるため、その熱エネルギーは、お尻Ｈから体の深部に吸収されて、その温熱効果を十分に発揮することができる。この温熱効果としては、血液の循環が良くなって、代謝が良好となり、体の細胞が活性化されて、体の各種機能が高められ、病気の人は症状が改善され、健康な人はその健康が維持される。また玉砂利４には、一種の指圧作用があって、マッサージ効果を奏することができる。更に、玉砂利４の場合は、岩盤浴に使用される単体の石に比べて単位床面積当たりの石の表面積が大きいので、遠赤外線の放射効率が良く、熱エネルギーが有効に得られる。
【００１２】
請求項２に係る考案のように、面状ヒーター３と玉砂利４との間にゲルマニウムシート１３を介在させた場合には、ゲルマニウムは３２°以上に温められるとマイナス電子を放出する特性があるから、ゲルマニウムシート１３から放出された無数のマイナス電子は、使用者の皮膚を浸透し、毛細血管に到達して血液中で電子の移動が行なわれ、血液が酸性状態であれば血液phを中性にし、反対にアルカリ状であれば正常に保つ働きをなし、血行や代謝にも良い影響を与え、体の機能が一層高められ、病気の症状が改善されると共に、健康な人は元気を維持することができる。
【００１３】
請求項３に係る考案のように、玉砂利４をメッシュ状の袋１６に詰めた状態とすれば、健康腰掛の使用中に腰を動かしても、玉砂利４が腰掛本体２の上面側開口部からこぼれ落ちることがなく、使用上きわめて有効である。
【００１４】
請求項４に係る考案のように、箱状腰掛本体２の内底面及び内周側面に断熱材９を装着することより、面状ヒーター３による熱を腰掛本体２内の玉砂利４に有効に伝達できて、玉砂利４を短時間で加熱することができる。
【００１５】
請求項５に係る考案のように、箱状腰掛本体２の底壁部２ｂの水抜き孔５を設けると、使用中に使用者の体から発汗された水分が腰掛本体２内部に溜まるようなことがあれば、その水分を腰掛本体２の底壁部２ｂの水抜き孔５から有効に排出させることができる。
【００１６】
請求項６に係る考案のように、腰掛本体２に保温用蓋体１４を開閉自在に枢着し、この保温用蓋体１４は、開放時には背もたれとして起立位置に保持されるようにすれば、保温用蓋体１４は、閉鎖時には、面状ヒーター３の電源スイッチを切った後も、加温されている玉砂利４を保温する役割を果たし、経済的効果を有し、また健康腰掛の使用中に保温用蓋体１４を背もたれとして使用できるため、非常に楽な状態で使用できることになる。
【００１７】
請求項７に係る考案のように、玉砂利４をセメントモルタル１７で固めた状態にしておけば、玉砂利４が腰掛本体２の上面側開口部からこぼれ落ちることがない。
【考案を実施するための最良の形態】
【００１８】
以下に本考案の好適な実施形態について図面を参照しながら説明すると、図１の(a) は本考案に係る健康腰掛の使用状態を示す概略側面図、(b) は同健康腰掛の斜視図であり、図２の(a) は同健康腰掛の縦断側面図、(b) は同健康腰掛の使用状態を示す縦断側面図である。ここに示す健康腰掛１は、上面が開口した浅い箱状の腰掛本体２の底部側に面状ヒーター３を配備し、この面状ヒーター３上に所要量の玉砂利４を配置したものであって、面状ヒーター３により玉砂利４を所要温度に加熱し、この加熱した玉砂利４の上に使用者が図１の(a) に示すように腰を掛けて使用するようになっている。
【００１９】
上記健康腰掛１の構造について更に詳しく説明すれば、腰掛本体２は、木製のもので、周壁部２ａと底壁部２ｂとによって、上面が開口した浅い箱状に形成されており、底壁部２ｂには図２から分かるように所要個所に水抜き孔５が設けられている。また腰掛本体２には下面側の四隅部に短い脚部６が取り付けられている。
【００２０】
面状ヒーター３は、図３の(a) に示すように、発熱体基板３ａと、この発熱体基板３ａの裏面（下面）に添装された断熱材３ｂとによって形成され、そして発熱体基板３ａは、図示は省略するが、電気不良導体の基板上に炭素粉末を単独に、又はこの粉末とポリエチレン粉末等の結合剤と混合し、これを塗布し溶融して所要の電気抵抗を有する抵抗膜を形成し、所要の発熱を有するようにすると共に、両端に導線を取り付けて、必要に応じて表ンに電気不良導体の耐熱被膜を施して一体としたものである。
【００２１】
そして、この面状ヒーター３は、図２及び図３の(b) に示すように、ウレタンフォームのようなクッション性材料からなる保護カバー部材１２により被包されて、外部から損傷を受けることがないようにしてある。
【００２２】
またこの面状ヒーター３は、図１及び図２に示すように腰掛本体２の周壁部２ａ外面に取り付けられたコントロールパネル７を操作することにより、電源スイッチのオン・オフ操作、温度設定、温度調整、タイマー設定等を行なうようになっている。図中の８は電源コードを示す。
【００２３】
また、腰掛本体２の周壁部２ａ内周面及び底壁部２ｂ上面には例えばウレタンフォームからなる断熱材９が装着され、この断熱材９の内側にはステンレス板からなる補強板１０が配置されていて、面状ヒーター３は、腰掛本体２の底壁部２ｂ上面に位置するステンレス板の補強板１０上に配備されるようになっている。この場合、ステンレス板からなる補強板１０は、図２から分かるように、その上端が、腰掛本体２の周壁部２ａ及びこれの内周面に装着される断熱材９よりも２〜３ｃｍ下方に位置するように取り付けられる。これは、補強板１０が加熱された時に使用者の体に直接触れることを避けるためである。
【００２４】
玉砂利４としては、天然産のもの、例えば通称「那智黒」と呼ばれている那智の玉砂利が使用され、その玉砂利の大きさは、直径が３〜４ｃｍ程度のものが好ましい。そして、この玉砂利４は、腰掛本体２内の底部に配備された面状ヒーター３の上に、図２の(a) に示すように２〜３段に積み重なる状態に配置される。
【００２５】
上記のように構成される健康腰掛１の使用にあたり、面状ヒーター３の電源スイッチをオンにし、加熱温度を４０°〜５０°の所要温度、好ましくは４２°〜４７°内の適当な温度に設定すると、この面状ヒーター３の発熱作用によって、腰掛本体２内の玉砂利４が面状ヒーター３に接する側から加熱されて、次第に全部の玉砂利４が例えば４２〜４３°の温度に加熱されるようになる。この時、腰掛本体２の周壁部２ａ内周面及び底壁部２ｂ上面に断熱材９が装着されているため、面状ヒーター３による熱は腰掛本体２内の玉砂利４に有効に伝達されて、玉砂利４を短時間で加熱することができる。
【００２６】
こうして玉砂利４が所要温度に加熱されたならば、使用者は、図１の(a) に示すように腰掛本体２内の玉砂利４の上に腰を下ろせばよい。この時、腰掛本体２内の玉砂利４は、図２の(b) に示すように、使用者のお尻Ｈの形状に対応して流動変形し、お尻Ｈに的確にフィットした状態となり、従ってお尻Ｈ全体がきわめて有効に加温される。また、使用中に使用者の体から発汗された水分が腰掛本体２内に溜まるようなことがあれば、その水分は腰掛本体２の底壁部２ｂの水抜き孔５から有効に排出される。この場合、図示は省略するが、腰掛本体２の底壁部２ｂに対応する断熱材９及び補強板１０側には水抜き用開口部が設けてある。
【００２７】
上記のように使用者のお尻Ｈ全体が有効に加温されると共に、加熱される玉砂利４からは遠赤外線が放射されるため、その熱エネルギーは、お尻Ｈから体の深部に吸収されて、その温熱効果を十分に発揮することができる。この温熱効果としては、血液の循環が良くなって、代謝が良好となり、体の細胞が活性化されて、体の各種機能が高められ、病気の人は症状が改善され、健康な人はその健康が維持される。また、玉砂利４は、お尻Ｈを単に温めるだけでなく、一種の指圧作用があって、マッサージ効果を奏することができる。更に、玉砂利４の場合は、岩盤浴に使用される単体の石に比べて単位床面積当たりの石の表面積が大きいので、遠赤外線の放射効率が良く、熱エネルギーが有効に得られる。
【００２８】
図４は面状ヒーター３と玉砂利４との間にゲルマニウムシート１３を介在させた健康腰掛１１を示している。健康腰掛１１は、図２に示す健康腰掛１と同じく、上面が開口した箱状の腰掛本体２の底部側に面状ヒーター３を配備し、この面状ヒーター３の上にゲルマニウムシート１３を載置し、このゲルマニウムシート１３の上に所要量の玉砂利４を配置してなるもので、ゲルマニウムシート１３以外の構成については、図２に示す健康腰掛１と同じである。
【００２９】
ゲルマニウムシート１３は、市販されている周知のもので、例えば、微粉末化したゲルマニウムを接着剤に混入したものを布地に塗布してゲルマニウム入り接着剤層を形成し、このゲルマニウム入り接着剤層を加熱して布地に接着することによって形成され、あるいはゲルマニウム配合繊維を織成することによっても形成される。
【００３０】
このようなゲルマニウムシート１３を面状ヒーター３と玉砂利４との間に介在させた健康腰掛１１を図１〜図３によって説明した健康腰掛１と同じ様な方法で使用した場合は、特に次のような効果を奏する。
【００３１】
即ち、ゲルマニウムは３２°以上に温められるとマイナス電子を放出する特性があり、しかしてゲルマニウムシート１３から放出された無数のマイナス電子は、使用者の皮膚を浸透し、毛細血管に到達して、血液中で電子の移動が行なわれる。つまり、血液が酸性状態であれば血液phを中性にし、反対にアルカリ状であれば正常に保つ働きをする。そうなると、血行や代謝にも良い影響を与え、体の機能が一層高められ、病気の症状が改善されると共に、健康な人は一層元気を維持することができる。
【００３２】
図５は箱状の腰掛本体２に保温用蓋体１４を開閉自在に枢着した健康腰掛２１を示し、(a) は保温用蓋体１４が開いた状態の斜視図、(b) は閉じた状態の斜視図であり、図６は保温用蓋体１４が開いた状態の縦断側面図である。即ち、保温用蓋体１４は、腰掛本体２の一端部にヒンジ１５によって、図６の実線図示のような開放姿勢と同図の仮想線図示のような閉鎖姿勢とに開閉自在に取り付けられていて、閉鎖時には、面状ヒーター３の電源スイッチを切った後、加温されている玉砂利４が冷えないように保温する役割を果たし、また開放時には実線図示のような開放姿勢である起立姿勢に保持されて背もたれとして機能するようになっている。尚、ヒンジ１５によって保温用蓋体１４を開放時に起立姿勢に保持するようにしてもよいし、またヒンジ１５は普通のヒンジで、保温用蓋体１４を開放時に起立姿勢に保持するストッパーのようなものを腰掛本体２に設けてもよい。
【００３３】
この健康腰掛２１の内部構造は、図４に示される健康腰掛１１の内部構造と殆ど同様であって、上面が開口した箱状腰掛本体２の底部側に面状ヒーター３を配備し、この面状ヒーター３の上にゲルマニウムシート１３を載置し、このゲルマニウムシート１３の上に所要量の玉砂利４を配置してなるものであるが、所要量の玉砂利４をメッシュ状の袋１６に詰めた状態で面状ヒーター３の上に配置した点が前記健康腰掛１，１１と異なっている。このように玉砂利４をメッシュ状の袋１６に詰めることによって、使用中に腰を動かしても玉砂利４が腰掛本体２の上面側開口部からこぼれ落ちることがなく、使用上きわめて便利である。この場合、袋１６がメッシュ状であるため、玉砂利４をそのまま使用する場合と変わりなく、加温された玉砂利４を体に直接的に当てることができる。また、この袋１６は柔らかいものが好ましい。
【００３４】
上述した健康腰掛１，１１，２１は一人掛け用の腰掛であるが、図７は複数人掛け、例えば３人掛け用の健康腰掛３１を示す。即ち、この健康腰掛３１は、一人掛け用の腰掛本体２が複数（例えば三つ）連設されていて、内部構造の図示は省略するが、各箱状腰掛本体２の底部側に面状ヒーター３を配備し、この面状ヒーター３上にゲルマニウムシート１３を載置し、このゲルマニウムシート１３上に、所要量の玉砂利４をメッシュ状の袋１６に詰めた状態で配置してなるもので、各腰掛本体２には、図３〜図５に示す健康腰掛２１と同様に、腰掛本体２の上面を覆う保温用蓋体１４が開閉自在にヒンジ１５で枢着され、各保温用蓋体１４は、開放時には背もたれとして図７の実線図示のような起立位置に保持されるようになっている。
【００３５】
上記複数人掛け用健康腰掛３１においては、面状ヒーター３の電源スイッチは各箱状腰掛本体２毎に設けてあり、使用する箱状腰掛本体２だけを使用できるようになっている。従って、使用時には、使用する腰掛本体２の保温用蓋体１４を開けて、その面状ヒーター３のスイッチを入れ、所要温度に設定、調整すればよい。
【００３６】
図８は玉砂利４をセメントモルタル１７によって固めた状態で腰掛本体２内に配置するようにした実施形態を示す。この場合、玉砂利４は予め別の場所でセメントモルタル１７に混入して固めて一塊のブロックの状態で、腰掛本体２内に挿入するとよい。このように玉砂利４をセメントモルタル１７で固めた状態にしておけば、メッシュ状の袋１６に詰める場合と同様に、玉砂利４が腰掛本体２の上面側開口部からこぼれ落ちることがない。
【図面の簡単な説明】
【００３７】
【図１】(a) は本考案に係る健康腰掛の使用状態を示す概略側面図、(b) は同健康腰掛の斜視図である。
【図２】(a) は同健康腰掛の縦断側面図、(b) は同健康腰掛の使用状態を示す縦断側面図である。
【図３】(a) は面状ヒーターの一部拡大断面図、(b) は面状ヒーター及びこれを被包する保護カバー部材の拡大断面図である。
【図４】面状ヒーターと玉砂利との間にゲルマニウムシートを介在させた健康腰掛の縦断側面図である。
【図５】腰掛本体に保温用蓋体を開閉自在に枢着した健康腰掛を示し、(a) は保温用蓋体が開いた状態の斜視図、(b) は閉じた状態の斜視図である。
【図６】保温用蓋体が開いた状態の縦断側面図である。
【図７】複数人掛け用健康腰掛の実施形態を示す斜視図である。
【図８】玉砂利をセメントモルタルで固めた健康腰掛の一部拡大断面図である。
【符号の説明】
【００３８】
１            健康腰掛
２            腰掛本体
３            面状ヒーター
４            玉砂利
９            断熱材
１３          ゲルマニウムシート
１４          保温用蓋体
１６          袋
【図１】
0003133509.tif 000003
【図２】
0003133509.tif 000004
【図３】
0003133509.tif 000005
【図４】
0003133509.tif 000006
【図５】
0003133509.tif 000007
【図６】
0003133509.tif 000008
【図７】
0003133509.tif 000009
【図８】
0003133509.tif 000010